(57)【要約】      （修正有）【課題】排泄物の横漏れを確実に防ぐことのできる失禁用パッド又はライナーのような吸収性物品を提供すること。【解決手段】吸収体の幅方向両側縁のそれぞれには、サイドシートと、不透水性シートとからなるサイドフラップが形成されており、サイドフラップの自由端部の縁には少なくとも１つの第１弾性部材が、サイドフラップの長手方向に自由端部にほぼ沿って接合されており、サイドシートをサイドフラップの吸収体の端縁側から内方に延出させることにより立体カフスが形成され、立体カフスの自由端部の縁には少なくとも１つの第２の弾性部材が、立体カフスの長手方向に自由端部にほぼ沿って接合されている。各サイドフラップと各立体カフスは、吸収性物品の長手方向の両端部もしくは両端部近傍においてそれぞれ接合されている。【選択図】図５
2006175022.tif 000002
【特許請求の範囲】
【請求項１】
トップシートと、バックシートと、これらの間に配置される吸収体とからなる本体と、該本体の幅方向両側部に形成されたサイドシートと、からなる吸収性物品であって、
前記吸収体の幅方向両側縁のそれぞれには、前記サイドシートと、不透水性シートとからなるサイドフラップが形成されており、該サイドフラップの自由端部の縁には少なくとも１つの第１弾性部材が、前記サイドフラップの長手方向に前記自由端部にほぼ沿って接合されており、
前記サイドシートを前記サイドフラップの前記吸収体の端縁側から内方に延出させることにより立体カフスが形成されており、該立体カフスの自由端部の縁には少なくとも１つの第２の弾性部材が、該立体カフスの長手方向に前記自由端部にほぼ沿って接合されており、
前記各サイドフラップと前記各立体カフスが、前記吸収性物品の長手方向両端部において、又は両端部近傍においてそれぞれ接合されていることを特徴とする吸収性物品。
【請求項２】
請求項１に記載した吸収性物品であって、前記第１及び第２の弾性部材のそれぞれは、前記吸収性物品の長手方向の全体の長さの４５％以上の長さを有するものであることを特徴とする吸収性物品。
【請求項３】
請求項１又は請求項２に記載した吸収性物品であって、前記サイドフラップと前記立体カフスは、前記第１弾性部材と前記第２弾性部材をループを形成するように前記立体カフスを前記サイドフラップ方向に倒し、前記第１と前記第２弾性部材を重ねるようにして接合されるものであることを特徴とする吸収性物品。
【請求項４】
請求項１から３いずれか１項に記載の吸収性物品であって、
前記吸収性物品を広げた場合において、前記吸収体の側縁部から延びる水平線と、前記吸収体側縁部を前記第１弾性部材に結ぶ線とにより形成される角度Θ１は６０°以下であり、
前記水平線と、前記吸収体側縁部を前記第２弾性部材に結ぶ線とにより形成される角度Θ２は、該角度Θ２が前記角度Θ１に等しいか、大きいことを条件として、３０から８５°の範囲内であることを特徴とする吸収性物品。
【請求項５】
請求項１から４のいずれか１項に記載の吸収性物品であって、装着時における、前記立体カフスの起立高さが前記サイドフラップの起立高さよりも高いことを特徴とする吸収性物品。
【請求項６】
請求項１から５のいずれか１項に記載の吸収性物品であって、該吸収性物品は、衣類又は紙おむつに併用される失禁用ライナーまたはパッドであることを特徴とする吸収性物品。
【発明の詳細な説明】
【技術分野】
【０００１】
本発明は、吸収性物品に関する。より詳細には、本発明は、下着や紙おむつなどに取付けて併用可能に使用できる、失禁などの排出物を吸収するためのライナーまたはパッドに関する。
【背景技術】
【０００２】
一般的に、寝たきり状態の成人や、あるいは重度の病気のために動けないような病人等のために成人用紙おむつが使用されている。しかし、このような紙おむつは、費用がかかり、軽い尿の排出の度に頻繁に紙おむつを交換することは経済的でもないし、看護人の手数もかかることになる。かといって、複数回の排泄後に紙おむつを交換することは、着用者にとって衛生的ではない。また、紙おむつまでは必要とされないような軽い失禁程度の症状を有する人にとっては、紙おむつを使用することは、費用面において負担もかかるし、着用時における外観上の点からも、好ましいものではなかった。このため、軽い失禁状態のときに尿を吸収させるために衛生ナプキンを着用することがある。
例えば、漏れを防ぐために、横方向の両側部に弾性部材を配置することで、コップ形状とし、そのカップ形状の最下部が着用者の局部に対応するように構成された衛生ナプキンが知られている（例えば、特許文献１参照）。また、サイドフラップから弾性部材を備えた第２のフラップを分岐させて立体カフスを形成させることで、横漏れを防ぐようになったナプキンも知られている（例えば、特許文献２参照）。
【０００３】
【特許文献１】特許出願公告番号平５−７１２６２号公報
【特許文献２】特許出願公告番号平７−７１５７０号公報
【発明の開示】
【発明が解決しようとする課題】
【０００４】
しかしながら、一般的に、尿は、月経時における排出物よりも粘性が低いこと、排出量も多いといった理由から、上述したような衛生用ナプキンを失禁のために使用した場合、尿は、ナプキンのライナーの表面上を流れやすく、衛生用ナプキンに採用されている程度の側縁の堰のみでは十分な横漏れを防止することはできなかった。また、特許文献２のように、２つのフラップを有するナプキンでは、サイドフラップ部が装着時にめくれたり、折れたりしてしまい、結局のところ横漏れ防止に貢献しない場合もしばしば認められる。また、軽い失禁症状を有する人は、殆どの場合、普通の人と変わりなく外部において活動し、動く機会が多いから、動作のたびに、ずれや横漏れをより確実に防ぐことができるような失禁用のパッドやライナーが必要とされてきた。また、紙おむつを着用するような人にとっても、その紙おむつと併用することにより、より経済的に使用できるようなライナーまたはパッドも必要とされている。
従って、本発明は、ある程度の量の尿を横漏れを発生させることなく、速やかに吸収させることのできるとともに着用感にすぐれた、失禁または少量の尿を吸収するための、下着や、テープ止め紙おむつ等と併用して使用されるライナーまたはパッドを提供することを課題とする。
【課題を解決するための手段】
【０００５】
上記課題を解決するために、本発明の吸収性物品は、トップシートと、バックシートと、これらの間に配置される吸収体とからなる本体と、該本体の幅方向両側部に形成されたサイドシートと、からなる。吸収体の幅方向両側縁のそれぞれには、サイドシートと、不透水性シートとからなるサイドフラップが形成されており、該サイドフラップの自由端部縁には少なくとも１つの第１弾性部材が、サイドフラップの長手方向に自由端部にほぼ沿って接合されている。サイドシートをサイドフラップの吸収体の端縁側から内方に延出させることにより立体カフスが形成され、該立体カフスの自由端部縁にも少なくとも１つの第２の弾性部材が、該立体カフスの長手方向に自由端部にほぼ沿って接合されている。各サイドフラップと前記各立体カフスは、吸収性物品の長手方向の両端部もしくは両端部近傍においてそれぞれ接合されている。
【０００６】
本発明の典型的な態様によれば、第１及び第２の弾性部材のそれぞれは、吸収性物品の長手方向全体長さの４５％以上の長さを有するようになっている。
【０００７】
本発明の一態様によれば、サイドフラップと立体カフスとをパッド上に接合するときには、第１弾性部材と第２弾性部材をループを形成するようにして、立体カフスをサイドフラップ方向に倒し、第１と第２弾性部材を重ねるようにして接合される。
【０００８】
本発明の別の態様によれば、吸収性物品を広げた場合において、吸収体の側縁部から延びる水平線と、側縁部を第１弾性部材に結ぶ線とにより形成される角度Θ１は６０°以下である。そして、吸収性物品を広げた場合において、吸収体の側縁部から延びる水平線と、側縁部を第２弾性部材に結ぶ線とにより形成される角度Θ２は、該角度Θ２が角度Θ１に等しいか、大きいことを条件として、３０から８５°の範囲である。
【０００９】
本発明の別の典型的な態様によれば、第２弾性部材の伸張応力が第１弾性部材の伸張応力よりも高いものであるように、第１弾性部材と第２弾性部材とが選択されるようになっている。
【００１０】
本発明の吸収性物品を装着したときには、立体カフスの立ち上がり高さが前記サイドフラップの立ち上がり高さよりも高いことから、立体カフスが着用者の皮膚に接触するようになっている。このような本発明の吸収性物品は、別の衣類または紙おむつと併用されるライナーまたはパッドとして使用されるようになっている。
【発明の効果】
【００１１】
本発明の吸収性物品のサイドフラップと立体カフスの自由端部の縁に、それぞれ少なくとも1本の弾性部材が各自由端部に沿って長手方向に、物品の長手方向中央部前後にわたり長く取付けられている。そして、サイドフラップと立体カフスがパッドの長手方向両端部か、これの近傍において、第１弾性部材と第２弾性部材とによりループを形成するようにして、重なり合うように接合されているために、第１弾性部材と第２弾性部材とは相補的に作用しあい、その結果、サイドフラップと立体カフスの起立性が確保され、パッド使用時の横漏れ等を効果的に防ぐことができる。
また、サイドフラップの側端縁に弾性部材が存在することは、特に、サイドフラップの外縁部が装着時にめくれたり、折れたりすることがないといった顕著な効果をももたらすものである。
さらに、本発明の吸収性物品において、不織布からなる立体カフスが直接肌に接触するようになることから、皮膚への刺激も少なく、着用感においても優れた効果を有する。
【発明を実施するための最良の形態】
【００１２】
以下、本発明の実施の一形態を添付の図を参照して説明する。以下の説明は、失禁用パッドを例として説明するが、失禁用のライナーにも適用できることはむろんである。
本明細書において、「吸収性物品の長手方向」、「パッドの長手方向」等とは、吸収性物品、パッドが着用されたときに着用者の前後にわたる方向を意味するものであり、「本体の幅方向」、「吸収体の幅方向」等とは、長手方向に対して横又は直交する方向を意味するものである。
【００１３】
図１は、本発明に係る典型的な失禁用パッド１０の全体を示す斜視図である。図２は、本発明の失禁用パッド１０の一実施形態を示す平面図である。図４は、図２に図示した失禁用パッド１０のサイドフラップ２０と立体カフス２１が立ち上がった状態のＸ−Ｘ線に沿った概略構造断面図である。
【００１４】
図４を参照すると、パッド１０の本体部分２３は、トップシート１６の下方に、尿などの流体を吸収体へと導くトランスファーシート１７が配置され、トランスファーシート１７とバックシート１９との間に吸収体１８が配置された構成からなる。このような構成は、吸収性物品において比較的一般的なものである。バックシート１９と吸収体１８との間にはさらにキャリヤシートが配置されていてもよい。トップシート１６は、一般的な不織布であればよく、着用者の皮膚に面する側となるので柔らかな感触で、着用者の皮膚に刺激を与えないような材料から形成されていることが好ましい。トランスファーシート１７も、一般的な不織布から形成されていればよく、着用者の尿を吸収体１８へ移し、分散させることが容易であるような材料から形成されていればよい。吸収体１８は、一般的に超吸収性材料として既知である高吸収性材料の粒子と混合された、木材パルプフラフのようなセルロースフラフのウェブの親水性繊維マトリックスを含んでいればよい。木材パルプフラフの代わりに合成繊維、ポリマー繊維などを使用してもよい。バックシート１９は、吸収体１８内において保持している液体などが下着に漏れないような防水機能を有するように、液体に対し不透過である材料から形成されていればよく、ポリエチレンフィルムなどの薄いプラスチックフィルムや、これとは別のクロスライクな可撓性液体不透過性フィルムから形成されていることが好ましい。バックシート１９のさらに下方には、図示しないが、パッド１０を下着等に固定するための一般的なずれ止めが配置されて、さらにずれ止めの下方に、これを覆うように剥離紙が配置されていてもよい。このような吸収性物品の本体部分は公知であるので、これ以上詳しく説明しない。
【００１５】
パッド１０の本体２３の幅方向両側縁には、サイドシート１１と、不透水性シート１２とからなる、所定の幅を有するサイドフラップ２０が本体２３の幅方向両側縁のそれぞれに、側縁のほぼ長手方向全長にわたり形成されている。さらに不透水性シート１２の外側面には不織布１３が貼り合わされていてもよい。不透水性シート１２は、バックシート１９とは別個に取付けられるようになっていてもよいし、バックシート１９から延長されて形成されてもよい。したがって、不透水性シート１２は、基本的にはバックシート１９とほぼ同様の材料から形成される。サイドシート１１は、親水性の高いトップシート１６やトランスファーシート１７に対して、一般的には撥水性の不織布から形成されていればよい。サイドフラップ２０の最外側縁部、すなわち自由端部の内部には、第１弾性部材１４がほぼ外側縁部にほぼ沿って接合され設けられている。
【００１６】
サイドシート１１を、本体２３の両側縁においてサイドフラップ２０から内方に延出させることにより、本体２３の両側部に、該両側部の長さ方向に沿って、所定の幅を有する立体カフス２１が形成される。サイドシート１１が延長されて形成された立体カフス２１の自由端部が折り曲げられて、その折り曲げて形成された内側空間に第２弾性部材１５が、立体カフス２１の長手方向縁部に沿って接合され設けられている。サイドフラップ２０と立体カフス２１の延出幅はほぼ等しいものであればよいが、多少差を設けてもよい。
【００１７】
第１弾性部材１４と第２弾性部材１５の接合位置は、サイドフラップ２０、立体カフス２１のそれぞれの自由端縁であってもよい。しかし、着用時における着用者の皮膚への刺激を考慮して、自由端縁から内方に５ｍｍ以内の範囲内の距離をあけて接合してもよい。このような位置に弾性部材を配置することで、着用者の皮膚への刺激は軽減する。第１及び第２弾性部材１４、１５の長さは、それぞれパッド１０の長手方向全長の４５％以上であることが好ましい。第１及び第2弾性部材１４、１５をサイドフラップ２０と立体カフス２１にそれぞれ配置する際には、その弾性部材１４、１５の長手方向の中心がパッド１０の長手方向のほぼ中心に相当する位置に一致するようになっていればよい。したがって、第１及び第２の弾性部材１４、１５は、パッド１０の長手方向の中央前後にわたり長く設置されることになる。
第１弾性部材１４と第２弾性部材１５は、エラストマー性ポリマー材料からなるストランド、又はリボン、あるいはポリウレタン、合成ゴム、天然ゴムなどがあるが、これらは当業者に公知であるので本明細書においては詳細に記載しない。
パッド１０の形状は、矩形状や、繭型形状のように様々な形状から選択できる。パッド１０の形状が一般的な矩形状であれば、図２に図示するように第1及び第２弾性部材１４、１５はほぼ平行に設置されていればよい。パッド１０の形状が、図３に図示するように全体的に繭形である場合には、その形状に合うように弾性部材１４を多少内方に湾曲させて配設させることが好ましい。また、本実施例においては、第１及び第２弾性部材１４、１５は１本ずつ図示されているが、これに限定されるものではなく、複数本の弾性部材が配置されてもよい。
【００１８】
サイドフラップ２０と立体カフス２１は、パッド１０の長手方向両端部又はこれの近傍においてそれぞれ接合される。サイドフラップ２０と立体カフス２１を接合するときには、第１弾性部材１４と第２弾性部材１５のそれぞれの長手方向両端部においてループを形成するように、立体カフス２１を外方向にサイドフラップに向けて倒し，第１弾性部材１４と第２弾性部材１５を重なり合わせるようにする。このように、サイドフラップ２０と立体カフス２１を長手方向両端部において、弾性部材１４、１５をループを形成するようにして接合することにより、図１に図示したパッド１０のように、サイドフラップ２０と立体カフス２１が、パッド１０のほぼ中央部を中心として起立した状態になる。そして、サイドフラップ２０と立体カフス２１とが起立した状態でそれぞれの外縁には弾性部材の効果によりギャザーが形成される。
【００１９】
図５（ａ）、（ｂ）は、それぞれ、図１のパッド１０のＹ−Ｙ線、Ｚ−Ｚ線に沿った断面図である。図５(ａ)は、パッド１０の本体を広げた状態のパッドのほぼ中央部における概略断面図であり、サイドフラップ２０と立体カフス２１とが起立したときの好ましい状態を示す。図５(ｂ)は、パッド１０の本体を広げたときの、パッドの長手方向端部における断面図であり、ほぼこの領域でサイドフラップ２０と立体カフス２１とが接合されるために、それぞれの起立したときのフラップ２０とカフス２１の高さはほぼ同じとなっている。
【００２０】
図５(ａ)を参照して、本発明におけるサイドフラップ２０と立体カフス２１との起立状態のときの位置関係について、さらに具体的に説明する。パッド１０の本体を広げた状態の中央部において、吸収体１８の長手方向端縁から外方へ延びる水平線と、吸収体端縁と第１弾性部材１４を結ぶ線とにより形成される、サイドフラップ２０の立ち上がりの角度をΘ１とする。また、同様に，吸収体１８の長手方向端縁から外方向へ延びる水平線と、吸収体端縁と第２弾性部材１５を結ぶ線とにより形成される、立体カフス２１の立ち上がりの角度をΘ２とする。弾性部材１４、１５がそれぞれ複数使用されている場合には、その基準となる弾性部材は、それぞれ最も内側の弾性部材である。本実施例において、角度Θ１は６０°以下であり、角度Θ２は３０°から８５°である。ここで、角度Θ２は角度Θ１に等しいか、大きいことを条件としなければならない。パッド１０の長手方向の両端部においては、角度Θ１とΘ２は大きな角度の差はあまりなく、ほぼ等しい関係にある。このような第1及び第２弾性部材１４、１５の関係によって、サイドフラップ２０と立体カフス２１との間に相補的作用が生じ、横漏れ防止効果が高まることになる。つまり、パッド１０の長手方向中央から前後端部に向けて長く延びる第１弾性部材１４と第２弾性部材１５とが相補的に作用することにより、サイドフラップ２０と立体カフス１５との起立性が確保され、横漏れ防止効果を高めることができるようになる。
【００２１】
本実施態様において、Θ１とΘ２の角度の範囲を上述のように得るためには、一般的に第２弾性部材１５の伸張応力を第１弾性部材１４のそれよりも高く設定すればよい。このようにΘ１とΘ２との角度に差を形成することで、立ち上がったときの立体カフス２１とサイドフラップ２０の高さの差ｄが生じる。このため、不織布のサイドシート１１から形成される立体カフス２１が不透水性フィルムを含むサイドフラップ２０よりも先に着用者の皮膚に接触することになる。このため、立体カフス２１がサイドフラップ２０を覆うように変形し、着用中の肌当たり状態も好ましく、良好なものとなる。この状態を図６(ａ）に図示する。さらに、図６(ｂ)は、本発明のパッド１０の着用時において、使用者の動作等のために、サイドフラップ２０が外側に倒れた場合にも立体カフス２１が立ち上がった状態のままであるから、横漏れの防止効果が大きい。このような効果は、特に、本発明のようなパッドを使用する対象となる人たちは、寝たきり状態ではなく、外部に出て活動できるような人が多いことを考慮すれば、有意義なものである。
【００２２】
本発明に係る吸収性パッドは、失禁用ライナーとして、またはパッドとして下着や、紙おむつに取付けることによって使用されるものであるが、もちろん成人用だけではなく、子供のトイレットトレーニングにも使用できる。さらに、女性の衛生ナプキンにも適用できるものであるし、もちろん、紙おむつ等の他の様々な吸収性物品にも適用できるものである。
【図面の簡単な説明】
【００２３】
【図１】本発明に係る失禁用パッドの全体斜視図である。
【図２】本発明の一実施形態による本発明に係る失禁用パッドの平面図である。
【図３】本発明の別の実施形態による本発明に係る失禁用パッドの平面図である。
【図４】図２に示す失禁用パッドのＸ−Ｘ線に沿った概略構造断面図である。
【図５】(ａ）は、図１に図示した失禁用パッドのＹ−Ｙ線に沿った断面図であり、(ｂ)は、図２に図示した失禁用パッドのＺ−Ｚ線に沿った断面図である。
【図６】(ａ）、(ｂ)は、それぞれ本発明に係る失禁用パッドを着用したときのサイドフラップと立体カフスの状態を示す概略図である。
【符号の説明】
【００２４】
１０  パッド
１１  サイドシート
１２  不透水性フィルム
１４  第１弾性部材
１５  第２弾性部材
１６  トップシート
１８  吸収体
１９  バックシート
２０  サイドフラップ
２１  立体カフス
【図１】
2006175022.tif 000003
【図２】
2006175022.tif 000004
【図３】
2006175022.tif 000005
【図４】
2006175022.tif 000006
【図５】
2006175022.tif 000007
【図６】
2006175022.tif 000008